(57)【要約】【課題】蓋部材の表面品位を向上させるとともに、位置決め及び固定をより確実に実施できる洋風水洗式便器用タンクカバーを提供する。【解決手段】洋風水洗式便器用タンクカバー１０は、少なくとも便器洗浄タンク４０の周囲を覆い、上端１１ａに開口１２を有するカバー本体１１と、カバー本体１１とは別に成形され、カバー本体１１上に載置されて開口１２を覆蓋する樹脂製の蓋部材２１とからなる。蓋部材２１は、カバー本体１１側に突出し、少なくとも奥行方向に長く延びるリブ２２を有する。他方、カバー本体１１は、リブ２２を支持するリブ支持部１５を有し、洋風便器本体２の後部に載置される。  このタンクカバー１０において、カバー本体１１はリブ支持部１５を蓋部材２１側に位置させる台部１４を有する。【選択図】図４
2006283481.tif 000002
【特許請求の範囲】
【請求項１】
少なくとも便器洗浄タンクの周囲を覆い、上端に開口を有するカバー本体と、該カバー本体とは別に成形され、該カバー本体上に載置されて該開口を覆蓋する樹脂製の蓋部材とからなり、該蓋部材は、該カバー本体側に突出し、少なくとも奥行方向に長く延びるリブを有し、該カバー本体は該リブを支持するリブ支持部を有し、該洗浄タンクに貯留した洗浄水により洗浄される洋風便器本体の後部に載置される洋風水洗式便器用タンクカバーにおいて、
前記カバー本体は前記リブ支持部を前記蓋部材側に位置させる台部を有することを特徴とする洋風水洗式便器用タンクカバー。
【請求項２】
前記リブ支持部は、前記リブの両側面に当接して挟持する形状とされていることを特徴とする請求項１記載の洋風水洗式便器用タンクカバー。
【請求項３】
前記台部内は前記開口にされていることを特徴とする請求項１又は２記載の洋風水洗式便器用タンクカバー。
【請求項４】
前記蓋部材は、手洗い鉢が形成されたもの又は手洗い鉢が形成されていないものの２種類から選択されるものであり、
前記カバー本体は両該蓋部材に対して共通するものであることを特徴とする請求項１乃至３のいずれか１項記載の洋風水洗式便器用タンクカバー。
【発明の詳細な説明】
【技術分野】
【０００１】
本発明は洋風水洗式便器用タンクカバーに関する。
【背景技術】
【０００２】
特許文献１に従来の洋風水洗式便器用タンクカバーが開示されている。このタンクカバーは、少なくとも便器洗浄タンクの周囲を覆い、上端に開口を有するカバー本体と、このカバー本体とは別に成形され、カバー本体上に載置されて開口を覆蓋する樹脂製の蓋部材とからなる。
【０００３】
蓋部材としては、手洗い鉢が形成されたもの又は手洗い鉢が形成されていないものの２種類がある。この蓋部材は、カバー本体側に突出し、少なくとも奥行方向に長く延びるリブを有している。一方、カバー本体は、蓋部材のリブを支持するリブ支持部を有している。
【０００４】
このような構成であるタンクカバーは、洋風水洗式便器の製造に際し、カバー本体が洋風便器本体の後部に設けられて便器洗浄タンクの周囲を覆うこととなる。そして、カバー本体の開口から内部に種々部品が組み付けられる。この後、蓋部材がカバー本体上に載置される。その際、蓋部材のリブがカバー本体のリブ支持部に支持される。こうして、カバー本体上に蓋部材が載置され、蓋部材が便器洗浄タンクの開口を覆蓋することとなる。蓋部材に手洗い鉢が形成されている場合には、人がその手洗い鉢で手を洗うことも可能となる。
【０００５】
こうして得られる洋風水洗式便器は、このタンクカバーによって優れた美観を呈する。また、カバー本体内の部品の点検等を行う場合には、蓋部材をカバー本体から外し、開口からその点検等を行うこととなる。
【０００６】
【特許文献１】特開平８−１２０７２５号公報
【発明の開示】
【発明が解決しようとする課題】
【０００７】
しかし、上記従来のタンクカバーは、蓋部材に関して、下記の通り、不具合が生じる場合があった。
【０００８】
すなわち、蓋部材は一般的に射出成形によって成形される。そして、最近では、特に蓋部材の外観形状のデザイン性を向上させるため、単に浅い弁当箱形状の蓋部材ではなく、曲面形状とされたり、上面が斜面となっていたりする傾向が強くなってきている。手洗い鉢が一体に形成された蓋部材を成形する場合も同様である。このため、蓋部材は、リブをカバー本体側に一層長く突出させなければならないことが多く、その場合には、リブの付け根に相当する表面側にヒケを生じ易く、表面品位が悪化し易かった。
【０００９】
また、リブをカバー本体側に長くした場合には、リブ自身が変形し易くなるため、蓋部材をカバー本体上に載置する際の位置決め及び固定が不確実になったり、リブが折損する等の不具合が生じる場合もあった。
【００１０】
本発明は、上記従来の実情に鑑みてなされたものであって、蓋部材の表面品位を向上させるとともに、位置決め及び固定をより確実に実施できる洋風水洗式便器用タンクカバーを提供することを解決すべき課題としている。
【課題を解決するための手段】
【００１１】
本発明の洋風水洗式便器用タンクカバーは、少なくとも便器洗浄タンクの周囲を覆い、上端に開口を有するカバー本体と、該カバー本体とは別に成形され、該カバー本体上に載置されて該開口を覆蓋する樹脂製の蓋部材とからなり、該蓋部材は、該カバー本体側に突出し、少なくとも奥行方向に長く延びるリブを有し、該カバー本体は該リブを支持するリブ支持部を有し、該洗浄タンクに貯留した洗浄水により洗浄される洋風便器本体の後部に載置される洋風水洗式便器用タンクカバーにおいて、
前記カバー本体は前記リブ支持部を前記蓋部材側に位置させる台部を有することを特徴とする。
【００１２】
このような構成である本発明のタンクカバーは、洋風水洗式便器の製造に際し、カバー本体が洋風便器本体の後部に設けられて便器洗浄タンクの周囲を覆うこととなる。そして、カバー本体の開口から内部に種々部品が組み付けられる。この後、蓋部材がカバー本体上に載置される。その際、蓋部材のリブがカバー本体のリブ支持部に支持される。
【００１３】
ここで、本発明のタンクカバーでは、カバー本体がリブ支持部を蓋部材側に位置させる台部を有する。このため、蓋部材のリブは、台部の高さの分だけ、突出長さを短くすることができる。このため、蓋部材は、リブの付け根に相当する表面側にヒケを生じ難くなり、表面品位が向上する。また、蓋部材のリブ自身が変形し難くなるため、蓋部材をカバー本体上に載置する際の位置決め及び固定が確実になり、リブが折損する等の不具合も生じ難い。
【００１４】
こうしてカバー本体上に蓋部材が載置され、蓋部材が便器洗浄タンクの開口を覆蓋することとなる。蓋部材に手洗い鉢が形成されている場合には、人がその手洗い鉢で手を洗うことも可能となる。
【００１５】
得られた洋風水洗式便器は、このタンクカバーによって優れた美観を呈する。また、カバー本体内の部品の点検等を行う場合には、蓋部材をカバー本体から外し、開口からその点検等を行うこととなる。
【００１６】
したがって、本発明のタンクカバーは、蓋部材の表面品位を向上させるとともに、位置決め及び固定をより確実に実施できる。
【００１７】
台部は、例えば、樹脂製のカバー本体に一体に形成されていてもよいし、別体のものをカバー本体に取り付けてもよい。
【００１８】
本発明の洋風水洗式便器用タンクカバーにおいて、前記リブ支持部は、前記リブの両側面に当接して挟持する形状とされていることが好ましい。この場合、蓋部材のリブは、より確実にリブ支持部に保持されるので、本発明の効果をより確実に奏することができる。
【００１９】
本発明の洋風水洗式便器用タンクカバーにおいて、前記台部内は前記開口にされていることが好ましい。この場合、従来の開口に対して、台部内の空間の分だけ開口を拡く設けることができるので、カバー本体内への部品の組み込み、カバー本体内の部品の点検等を一層容易に実施することが可能となる。
【００２０】
本発明の洋風水洗式便器用タンクカバーにおいて、前記蓋部材は、手洗い鉢が形成されたもの又は手洗い鉢が形成されていないものの２種類から選択されるものであり得る。この場合、前記カバー本体は両該蓋部材に対して共通するものであることが好ましい。この場合には、品種間の部品の共通化が図れ、製造コストの低廉化を一層実現できる。
【発明を実施するための最良の形態】
【００２１】
以下、本発明を具体化した実施例１を図面を参照しつつ説明する。
【実施例１】
【００２２】
図１〜図３に示すように、実施例１の洋風水洗式便器用タンクカバー１０は、洋風水洗式便器１に装着されるものであり、カバー本体１１と、蓋部材２１とからなる。
【００２３】
カバー本体１１は、図３に示すように、下方が大きく開放され、側面が便器洗浄タンク４０の周囲を覆うような筒状とされ、上端１１ａに開口１２を有するものである。実施例１では、カバー本体１１は、樹脂製とされている。
【００２４】
蓋部材２１は、図１及び図３に示すように、カバー本体１１とは別に成形され、カバー本体１１上に載置されて開口１２を覆蓋する樹脂製のものである。蓋部材２１の外観形状は、デザイン性を向上させるため、単に浅い弁当箱形状ではなく、上面が洋風水洗式便器１の前方に向けて大きく傾く斜面とされている。
【００２５】
また、蓋部材２１としては、図２に示すように、手洗い鉢が形成されている鉢付き蓋部材２１ａも用意されている。このため、使用者は、手洗い鉢が形成されていない蓋部材２１又は手洗い鉢が形成されている鉢付き蓋部材２１ａの２種類から選択可能となっている。
【００２６】
蓋部材２１がカバー本体１１上に安定して載置されるため、蓋部材２１はリブ２２を有し、カバー本体１１は、リブ２２を支持するリブ支持部１５を有している。
【００２７】
リブ２２は、図３及び図４に示すように、カバー本体１１側に突出し、少なくとも奥行方向、つまり洋風水洗式便器１の前方から後方に向かう方向に長く延びる形状とされている。より具体的には、リブ２２は、上方から見下ろしたときに、略「コ」の字状をなすように、蓋部材２１と一体に射出成形されている。なお、鉢付き蓋部材２１ａも、図示しないが蓋部材２１ａのリブ２２と同形状のものを有している。
【００２８】
他方、リブ支持部１５は、カバー本体１１の上端１１ａに直接設けられてはおらず、下記の構成とされている。
【００２９】
まず、カバー本体１１は、図３及び図４に示すように、上端１１ａに台部１４を有する。この台部１４は、カバー本体１１の上端１１ａを上方から見下ろしたときに、上述のリブ２２の形状に対応した略「コ」の字形状をなすように、カバー本体１１と一体に射出成形されている。また、台部１４の断面は、図４に示すように、カバー本体１１の上端１１ａの開口１２の周縁から上方に立ち上がる立ち面１４ａと、立ち面１４の上端から開口１１の中央側に横方向に延びる上面１４ｂと、上面１４ｂの中央側端から下方に突き出る補強面１４ｃとで構成される略「７」の字形状をなしている。
【００３０】
そして、台部１４の上面１４ｂには、図３及び図４に示すように、複数個のリブ支持部１５が一体に形成されている。リブ支持部１５は、図４に示すように、突起１５ａ、１５ｂがリブ２２の両側面に当接して挟持する形状とされている。
【００３１】
このような構成である台部１４によって、リブ支持部１５が蓋部材２１側に位置されている。そして、リブ支持部１５の位置が高くされていることに対応して、リブ２２の突出長さも短くされている。また、台部１４の下方内側の空間は、開口１２の一部となって、開口１２を拡げることに寄与している。
【００３２】
このような構成である実施例１のタンクカバー１０は、図３に示すように、洋風水洗式便器１の製造に際し、カバー本体１１が便器洗浄タンク４０を上方から覆蓋するように洋風便器本体２の後部に載置される。これにより、カバー本体１１は、便器洗浄タンク４０の周囲を覆うこととなる。そして、カバー本体１１の開口１２から内部に種々部品が組み付けられる。この後、蓋部材２１がカバー本体１１上に載置される。その際、蓋部材２１のリブ２２の両側面にカバー本体１１のリブ支持部１５の突起１５ａ、１５ｂが当接して挟持することにより、リブ２２がリブ支持部１５に支持される。
【００３３】
また、使用者が手洗い鉢が形成された鉢付き蓋部材２１ａを選択した場合には、単に蓋部材２１から鉢付き蓋部材２１ａに載せ換えるだけで交換可能となっている。
【００３４】
ここで、実施例１のタンクカバー１０では、カバー本体１１がリブ支持部１５を蓋部材２１側に位置させる台部１４を有している。このため、蓋部材２１のリブ２２は、台部１４の高さの分だけ、突出長さを短くすることができている。このため、蓋部材２１は、リブ２２の付け根に相当する表面側２２ａにヒケを生じ難くなっており、表面品位が向上している。また、蓋部材２１のリブ２２自身が変形し難くなっているため、蓋部材２１をカバー本体１１上に載置する際の位置決め及び固定が確実になっており、リブ２２が折損する等の不具合も生じ難くなっている。
【００３５】
こうしてカバー本体１１上に蓋部材２１が載置され、蓋部材２１が便器洗浄タンク４０を覆蓋することとなる。蓋部材２１の代わりに、鉢付き蓋部材２１ａが載置されている場合には、人がその手洗い鉢で手を洗うことも可能となっている。
【００３６】
得られた洋風水洗式便器１は、このタンクカバー１０によって優れた美観を呈している。また、カバー本体１１内の部品の点検等を行う場合には、蓋部材２１をカバー本体１１から外し、開口１２からその点検等を行うこととなる。この際、台部１４内の空間の分だけ開口１２を拡く設けることができているので、カバー本体１１内への部品の組み込み、カバー本体１１内の部品の点検等を容易に実施することが可能となっている。
【００３７】
したがって、実施例１の洋風水洗式便器用タンクカバー１０は、蓋部材２１の表面品位を向上させているとともに、位置決め及び固定をより確実に実施できている。
【００３８】
また、このタンクカバー１０において、蓋部材２１のリブ２２と、手洗い鉢が形成された鉢付き蓋部材２１ａのリブが同一形状とされ、使用者が蓋部材２１又は鉢付き蓋部材２１ａを選択可能であり、カバー本体１１が双方に対して共通するものである。このため、このタンクカバー１０は、品種間の部品の共通化が図れており、製造コストの一層の低廉化を実現可能となっている。
【００３９】
以上において、本発明を実施例１に即して説明したが、本発明は上記実施例１に制限されるものではなく、その趣旨を逸脱しない範囲で適宜変更して適用できることはいうまでもない。
【産業上の利用可能性】
【００４０】
本発明は洋風水洗式便器用タンクカバーに利用可能である。
【図面の簡単な説明】
【００４１】
【図１】実施例１の洋風水洗式便器用タンクカバーが装着された洋風水洗式便器の概略斜視図である。
【図２】実施例１の洋風水洗式便器用タンクカバーが装着された洋風水洗式便器の概略斜視図である。
【図３】実施例１の洋風水洗式便器用タンクカバーが洋風水洗式便器に装着される前の状態を示す概略斜視図である。
【図４】実施例１の洋風水洗式便器用タンクカバーに係り、カバー本体への蓋部材の固定状態を示す概略断面図である。
【符号の説明】
【００４２】
２…洋風便器本体
１０…洋風水洗式便器用タンクカバー
１１…カバー本体
１１ａ…上端
１２…開口
１４…台部
１５…リブ支持部
２１…蓋部材
２１ａ…鉢付き蓋部材
２２…リブ
４０…便器洗浄タンク
【図１】
2006283481.tif 000003
【図２】
2006283481.tif 000004
【図３】
2006283481.tif 000005
【図４】
2006283481.tif 000006